(57)【特許請求の範囲】
【請求項１】
映像信号出力手段からの映像信号を少なくとも２つ入力する映像入力手段と、前記映像入力手段へ入力された映像信号を選択し、それに応じた切替信号を出力する操作手段と、前記切替信号によって入力された映像信号から１つを選択し出力する映像選択手段と、前記操作手段の切替信号を入力して映像信号の選択出力されたことを報知する報知手段とを備えた映像切替装置において、前記操作手段の入力された映像信号毎に対応する選択釦を有する映像切替操作卓であって、
前記選択釦の複数個を連ねて形成される釦領域間を区分する分割領域位置を変更可能にしたことを特徴とする映像切替操作卓。
【請求項２】
前記分割領域を、未使用の設定とした選択釦の配置位置としたことを特徴とする請求項１記載の映像切替操作卓。
【請求項３】
前記選択釦を、照光式押し釦により形成したことを特徴とする請求項１または２記載の映像切替操作卓。
【請求項４】
前記照光式押し釦の釦キャップに代えて、前記照光式押し釦に設けられた発光手段の発光を表示可能に中央部に配置された半透過部を有する専用キャップにより分割領域を形成したことを特徴とする請求項３記載の映像切替操作卓。
【請求項５】
前記専用キャップの半透過部における発光表示を、映像信号の選択出力されたことを報知する報知手段により制御することを特徴とする請求項４記載の映像切替操作卓。
【発明の詳細な説明】
【０００１】
【発明の属する技術分野】
本発明は、放送局等の映像制作に使用する映像切替装置に用いられる映像切替操作卓に関するものである。
【０００２】
【従来の技術】
近年、テレビジョン方法において衛星放送等によって多チャンネル化、デジタル放送技術の発展はめざましく、多くの映像番組が楽しめるようになり、視聴者の趣向に合わせて選択範囲が非常に広く、その番組数も多くなっている。しかしながら、これら多くの映像番組を大量かつ多種に渡り制作するため、制作サイドとしては、制作の効率向上が課題となっており、制作に用いられる装置の中でも、複数の撮影映像を切り替える映像切替装置が非常に注目されている。
【０００３】
以下に従来の映像切替装置を用いて行われる映像切り替えについて、図６に概略構成を示したブロック図を参照しながら説明する。
【０００４】
図６に示す構成において、番組出演者をそれぞれ撮影する３台のカメラ１ａ〜１ｃの映像信号は、それぞれのカメラのモニタ２ａ〜２ｃに送られ、映像に変換表示される。それと共に、各カメラ１ａ〜１ｃの映像信号は、映像切替装置の操作卓３にて制作担当者の指示により切り替えられ、本映像として本線出力４より送出されたり記録される。また、この本映像は本線モニタ４ｍに入力され視聴確認される。
【０００５】
これらの映像の切り替えとしては、映像切替装置の操作卓３にある該当の選択釦５を制作担当者が操作する（該当する選択釦５を押す）ことで、それに応じた選択候補である素材Ａ〜Ｅの映像の中から、例えば、図６に示す素材Ｂと第１予備線の交差する選択釦５を押すことで、カメラ１ｂの映像（素材Ｂ）が選択され本線出力４に送られる。
【０００６】
一般的な生番組等の映像制作の運用においては、制作担当者が、番組出演者をそれぞれ撮影するカメラ１ａ〜１ｃ映像が表示されるモニタ２ａ〜２ｃを確認しながら、番組の進行、あるいは映像制作のシナリオに合わせて本線出力４に出力させるカメラ映像を決め、操作卓３の該当する選択釦５を押すことで、映像処理部（図示せず）により選択が行われる。この際、制作担当者は、モニタ群を注視しなければならないため、通常、操作卓３の複数ある選択釦５を視認することなく、いわゆるブラインドタッチで操作される。
【０００７】
さらに、操作卓３において、素材Ａ〜Ｅを選択するのみでなく、次に切り替えて本線に出力する映像を遅滞なく処理するため、いくつかの予備線を設けており、２〜４の予備線を切り替えて放送業務のバックアップや特殊な映像効果（例えば、画像の一部に小画像の表示、画像に重ねて文字を表示等）にも用いられる。
【０００８】
また、映像処理部にて切り替えられ本線に出力されている映像がどれであるか、各カメラ１ａ〜１ｃを操作しているカメラマン、被写体である出演者、および制作担当者に認知させるため、映像着替装置は、各カメラ１，モニタ２にある本線出力中を示すランプ（ライブランプ（Ｌランプ）といわれ以下、タリーランプという）１ｍ，２ｍ，３ｍのうち選択釦５が押され、本線に出力しているカメラ，モニタに設けられたタリーランプを点灯させている。また、このタリーランプは操作卓３にも設けられ、本線出力４と現在接続されてる予備線を示している。
【０００９】
さらに、映像切替装置には、番組作成の多種多様な要求に応じるため、特殊な視覚効果等の画像処理を行う機器も多く接続されており、かつ番組作成に従来より用いられるカメラ等の機材も増えている。このことから、素材の切り替え処理を行うため、操作卓に配置された選択釦は、３０個以上が設けられて構成されることになる。
【００１０】
また、前述した各予備線においても同数の釦数を必要とすることから、操作卓３に多くの選択釦５を配置することとなり、ブラインドタッチにより行われる操作性の面においても、選択釦５をいくつかの数にまとめてブロック毎に区切り配置する必要がある。そして、この釦の区切り位置およびタリーランプ等の表示灯の位置は、利用者によって異なりそれぞれの利用者に合わせて設計がなされ作成されている（図７（ａ），（ｂ）参照）。
【００１１】
【発明が解決しようとする課題】
しかしながら、このような構成の映像切替装置において、利用者毎の仕様に合わせて設計され作成されていることから、その後の使用環境の変更に伴い、例えば、操作卓における選択釦をブロックに区切る釦数を変更することは簡単にはできず、また、多くの選択釦が配置された大きな操作卓に、映像を放送出力する本線の切り替えスイッチ近傍に配置されたタリーランプの位置を、利用者の所望する位置への変更、または追加配置することも、映像切替装置の作成後には容易にはできないという問題があった。
【００１２】
本発明は、前記従来技術の問題を解決することに指向するものであり、映像切替装置の稼働後における利用者の使用環境の変化に伴い選択釦をブロックに区切る釦数の変更、および操作卓のタリーランプの位置変更、追加配置を容易に行うことができる映像切替装置を提供することを目的とする。
【００１３】
【課題を解決するための手段】
この目的を達成するために、本発明に係る映像切替操作卓は、映像信号出力手段からの映像信号を少なくとも２つ入力する映像入力手段と、映像入力手段へ入力された映像信号を選択し、それに応じた切替信号を出力する操作手段と、切替信号によって入力された映像信号から１つを選択し出力する映像選択手段と、操作手段の切替信号を入力して映像信号の選択出力されたことを報知する報知手段とを備えた映像切替装置において、操作手段の入力された映像信号毎に対応する選択釦を有する映像切替操作卓であって、選択釦の複数個を連ねて形成される釦領域間を区分する分割領域位置を変更可能にしたことを特徴とする。
【００１４】
また、前記分割領域を、未使用の設定とした選択釦の配置位置としたこと、さらに、前記選択釦を、照光式押し釦により形成したこと、また前記照光式押し釦の釦キャップに代えて、照光式押し釦に設けられた発光手段の発光を表示可能に中央部に配置された半透過部を有する専用キャップにより分割領域を形成したこと、また前記専用キャップの半透過部における発光表示を、映像信号の選択出力されたことを報知する報知手段により制御することを特徴とする。
【００１５】
前記構成によれば、利用者の使用環境の変化に伴い映像切替操作卓の選択釦、および製造信号の選択出力の報知表示の配置変更作業を任意、かつ容易に行うことができると共に映像切替操作卓の設計，実装の効率化を図ることができる。
【００１６】
【発明の実施の形態】
以下、図面を参照して本発明における実施の形態を詳細に説明する。
【００１７】
図１（ａ）は本発明の実施の形態における映像切替装置の操作卓に配置される選択釦の釦群の正面図、図１（ｂ）は側面図を示したものである。ここで、前記従来例を示す図６において説明した構成部材に対応し同等の機能を有するものには同一の符号を付してこれを示す。また、映像切替装置に設けられる操作卓３の選択釦５においては、行×列（予備線×素材）のマトリックス状に配置されており映像切替装置の制御部によって、複数のカメラ，ＶＴＲ等の機材からの映像信号入力を操作卓の素材Ａ〜Ｚ（列）のどこに割り当てを行うか選択設定すること、また任意に選択した禁止指定領域５ｎの各選択釦５の入力を禁止する等をソフトウエア処理により行うことができる（図２参照）。
【００１８】
さらに、この選択釦５は、照光式押し釦であり、釦上部には赤と緑の赤色ＬＥＤ７ａ，緑色ＬＥＤ７ｂが２個ずつ交互に配置され（図３（ａ）参照）、また、この赤色ＬＥＤ７ａ，緑色ＬＥＤ７ｂの点灯制御もソフトウエア処理によって制御が行われる。
【００１９】
本実施の形態において、ブラインドタッチ等の操作を行うために、図２に示す操作卓に配置される選択釦５を任意の釦数でブロック（釦領域）に区切る分割領域を設けるため（図４（ａ），（ｂ）参照）、選択釦５の禁止指定領域５ｎをソフトウエア処理により入力を禁止指定を行って未使用に設定し、さらに禁止指定領域５ｎである各選択釦５の押し釦キャップ５ｃ（図１（ｂ）参照）に代えて、図３（ｂ），（ｃ）に示す専用キャップ１０を使用する。この専用キャップ１０を用いることで、他の選択釦５との操作触感を差別化して選択釦５をブロックに区分する。これと共に、図３（ｂ）に示す専用キャップ１０に設けた半透過部１０ａにより、選択釦５に有するＬＥＤ７（例えば、赤色ＬＥＤ７ａ）の発光をタリーランプとして機能するようにソフトウエア処理により設定して、専用キャップ１０により分割領域とした任意の位置にタリーランプを追加、変更する。
【００２０】
以上に説明したように、本実施の形態によれば、操作卓３に配置された選択釦５に割り当てる素材（カメラ、ＶＴＲ等）の設定と共に、選択釦５の入力を禁止する禁止指定をソフトウエア処理により設定し、かつ禁止指定領域５ｎの選択釦５の押し釦キャップ５ｃに代えた専用キャップ１０を用いることにより選択釦５をブロック（釦領域）とし、さらにこれを区切る分割領域とした任意の位置において専用キャップ１０の半透過部１０ａを介し、選択釦５のＬＥＤ７の発光を透過させタリーランプ機能として設定することが可能となる。また、タリーランプとして赤色発光のみでなく、予備本線を意味する緑色発光を行わせる等の設定とすることも可能である。
【００２１】
これらの処理を行うことで、利用者の使用環境の変化に伴い操作卓の配置変更の作業を任意、かつ容易に行うことができると共に操作卓の設計，実装の効率化を図ることができる。
【００２２】
また、本実施の形態の他の例として、図５に示すように、映像信号入力を割り当てる素材（列）毎に（例えば、接続ａには素材Ａ、接続ｂには素材Ｂ…）、この入力映像信号を選択する第１〜第３予備線（行）数分の選択釦５を設けた１つの選択釦組１２を形成して順に配置する。
【００２３】
さらに、分割領域となる位置には選択釦組１２の選択釦５に前述の専用キャップ１０を用いた選択釦組１２を設置しても良く、または、タリーランプとして配置する必要があれば単にランプ６のみを選択釦５の該当位置に設置したランプ組１３を配置する。さらにまた、分割領域としてのみ利用する場合ならば何も配置していないパネル板１４を設けて、操作卓を構成する。
【００２４】
具体的な設定としては、前述の実施の形態と同様に、ソフトウエア処理により接続ａ〜ｄ，ｆ，ｘ，ｚには素材Ａ〜Ｄ，Ｅ，Ｓ，Ｔ、接続ｅにはタリーランプ、接続ｙには禁止指定の各設定を行う。また、設定変更として例えば、接続ｅと接続ｆの変更を行う際、接続ｅ，ｆを共に禁止指定として信号入力を停止し、選択釦組１２とランプ組１３の入れ替えを行った後、接続ｅを素材Ｅに、接続ｆをタリーランプの設定にソフトウエア処理により行う。
【００２５】
以上の処理により、操作卓の配置変更の作業を任意、かつ容易に行うことができ、また選択釦等の不具合に対する交換処理も容易に行うことができる。
【００２６】
【発明の効果】
以上説明したように、本発明によれば、利用者の使用環境の変化に伴い操作卓の配置変更の作業を任意、かつ容易に行うことができると共に操作卓の設計，実装の効率化を図り、また選択釦等の不具合に対する交換処理も容易に行うこともできるという効果を奏する。
【図面の簡単な説明】
【図１】（ａ）は本発明の実施の形態における映像切替装置の操作卓に配置される選択釦の釦群を示す正面図、（ｂ）は側面図
【図２】本実施の形態における操作卓の選択釦の配置を示す図
【図３】（ａ）は選択釦の押し釦キャップを外した正面図、（ｂ）は選択釦に専用キャップをかぶせた断面図、（ｃ）は専用キャップの正面図
【図４】（ａ）は本発明の実施の形態における操作卓に配置される選択釦の釦領域，分割領域を示す正面図、（ｂ）は側面図
【図５】本実施の形態の他の例における操作卓の選択釦の配置例を示す図
【図６】従来の映像切替装置を用いて行われる映像切り替えの概略構成を示したブロック図
【図７】（ａ）は映像切替装置の操作卓に配置される選択釦の釦群を示す正面図、（ｂ）は側面図
【符号の説明】
１ａ，１ｂ，１ｃ  カメラ
１ｍ，２ｍ，３ｍ  タリーランプ
２ａ，２ｂ，２ｃ，４ｍ  モニタ
３  操作卓
４  本線出力
５  選択釦
５ｃ  押し釦キャップ
６  ランプ
７  ＬＥＤ
７ａ  赤色ＬＥＤ
７ｂ  緑色ＬＥＤ
１０  専用キャップ
１０ａ  半透過部
１２  選択釦組
１３  ランプ組
１４  パネル板
【図１】
0004091341.tif 000002
【図２】
0004091341.tif 000003
【図３】
0004091341.tif 000004
【図４】
0004091341.tif 000005
【図５】
0004091341.tif 000006
【図６】
0004091341.tif 000007
【図７】
0004091341.tif 000008